(57)【要約】      （修正有）【課題】光ファイバへの結合効率がより一層高められた一芯双方向光送受信モジュールを提供する。【解決手段】第１の波長の光を発する発光素子２と、発光素子２から出射される第１の波長の光３の光路に配置された光学フィルタ５と、光ファイバ６と、受光素子８とを備え、光ファイバ６が傾斜端面６ａを有し、傾斜端面６ａにおける受光感度が光軸Ｚに直交する楕円形の形状の分布を有し、発光素子２から発せられる第１の波長の光３における楕円形の光強度分布Ｃの光軸回りの回転角度θｃと、光ファイバ６の傾斜端面６ａにおける受光角度分布Ｃの光軸Ｚ回りの回転角度θｄが一致するように、発光素子２及び光ファイバ６が配置されている、一芯双方向光送受信モジュール。【選択図】      図１
2007017701.tif 000002
【特許請求の範囲】
【請求項１】
第１の波長の光を発する発光素子と、前記発光素子から出射される前記第１の波長の光の光路に配置されており、かつ該光路の光軸に対して傾斜されている光学フィルタと、前記光路において、光学フィルタを介して、前記発光素子とは反対側に配置されており、前記第１の波長の光が入射され、かつ第２の波長の光が出射され、かつ傾斜端面を有する光ファイバとを備え、前記光学フィルタにより、前記光路とは異なる方向に第２の波長の光が導かれ、
該第２の波長の光を受光する受光素子をさらに備え、前記発光素子から発せられる第１の波長の光が、前記光路の光軸と直交する方向において第１の楕円形の光強度分布を有する、一芯双方向光送受信モジュールにおいて、
前記光ファイバの傾斜端面における受光感度が前記光軸に直交する第２の楕円形の形状の分布を有し、
前記発光素子から発せられる第１の波長の光における前記第１の楕円形の光強度分布の前記光軸回りの回転角度と、前記光ファイバの前記傾斜端面における第２の楕円形の受光感度分布の前記光軸回りの回転角度とが一致するように、前記発光素子及び光ファイバが配置されていることを特徴とする、一芯双方向光送受信モジュール。
【請求項２】
第１の波長の光を発する発光素子と、前記発光素子から出射される前記第１の波長の光の光路に配置されており、かつ該光路の光軸に対して傾斜されている光学フィルタと、前記光路において、光学フィルタを介して、前記発光素子とは反対側に配置されており、前記第１の波長の光が入射され、かつ第２の波長の光が出射され、かつ傾斜端面を有する光ファイバとを備え、前記光学フィルタにより、前記光路とは異なる方向に第２の波長の光が導かれ、
該第２の波長の光を受光する受光素子をさらに備え、前記発光素子から発せられる第１の波長の光が、前記光路の光軸と直交する方向において第１の楕円形の光強度分布を有する、一芯双方向光送受信モジュールにおいて、
前記光ファイバの傾斜端面における受光感度が前記光軸に直交する第２の楕円形の形状の分布を有し、
前記光学フィルタを通過した後の前記第１の楕円形の光強度分布の光軸回りの回転角度と、光ファイバの前記傾斜端面における第２の楕円形の受光感度分布の光軸回りの回転角度が一致されていることを特徴とする、一芯双方向光送受信モジュール。
【請求項３】
前記発光素子がレーザーダイオードである、請求項１または２に記載の一芯双方向光送受信モジュール。
【請求項４】
前記光学フィルタの厚みが０．５ｍｍ以下である、請求項１〜３のいずれか１項に記載の一芯双方向光送受信モジュール。
【請求項５】
前記光学フィルタがポリイミド基板上に複数の誘電体層を積層した構造であることを特徴とする、請求項４に記載の一芯双方向受信モジュール。
【発明の詳細な説明】
【技術分野】
【０００１】
本発明は、光通信用のモジュールに関し、より詳細には、発光素子と、光学フィルタと、光ファイバとを結ぶ光路外に受光素子が配置されており、発光素子からの光が光ファイバに導かれ、かつ該光ファイバからの出射光が受光素子に導かれる、一芯双方向光送受信モジュールに関する。
【背景技術】
【０００２】
従来、光通信機器においては、光信号を送受信するために、様々なモジュールが用いられている。例えば、下記の特許文献１には、図６に概略構成図で示す光送受信モジュールが開示されている。この光送受信モジュール１０１は、一芯双方向光送受信モジュールである。
【０００３】
光送受信モジュール１０１は、発光素子であるレーザーダイオード１０２を有する。レーザーダイオード１０２からの光が導かれるように、光ファイバ１０３が配置されている。レーザーダイオード１０２と光ファイバ１０３との間には、凸レンズ１０４及び光学フィルタとしての分波フィルタ１０５とが配置されている。すなわち、レーザーダイオード１０２から光ファイバ１０３に光が導かれる光路に沿って、上記凸レンズ１０４及び分波フィルタ１０５が配置されている。
【０００４】
凸レンズ１０４は、レーザーダイオード１０２から出射された第１の波長の光を収束するために設けられている。収束された光が、分波フィルタ１０５を通過し、光ファイバ１０３に導かれる。光ファイバ１０３は、傾斜端面１０３ａを有する。また、分波フィルタ１０５は、板状の形状を有し、かつ主面が上記光路の光軸に対し傾斜されている。
【０００５】
他方、光ファイバ１０３から傾斜端面１０３ａを介して出射された第２の波長の光が、分波フィルタ１０５の作用により、上記光路外に配置された凸レンズ１０６を介して該光路外に配置されたフォトダイオード１０７に導かれる。
【０００６】
光送受信モジュール１０１では、レーザーダイオード１０２からの光が光ファイバ１０３の端面１０３ａで反射されて戻る現象を防止するために、光ファイバ１０３は傾斜端面１０３ａを有する。そして、傾斜端面１０３ａの傾斜方向と、上記分波フィルタ１０５の傾斜方向とが逆方向とされている。それによって、凸レンズ１０４で収束された光が導かれる光路に配置された分波フィルタ１０５により生じる非点収差が上記逆方向傾斜構造により相殺され、光ファイバ１０３への結合効率が高められるとされている。
【特許文献１】特開２００３−３０７６５６号公報
【発明の開示】
【発明が解決しようとする課題】
【０００７】
特許文献１に記載の光送受信モジュール１０１では、上記のように、分波フィルタ１０５の傾斜方向を、光ファイバ１０３の傾斜端面１０３ａの傾斜方向に対して逆方向とすることにより、上記分波フィルタ１０５に起因する非点収差が相殺され、それによって、光ファイバ１０３への結合効率の低下が抑制されている。
【０００８】
しかしながら、光送受信モジュール１０１では、分波フィルタ１０５が傾斜されているので、レーザーダイオード１０２から出射された第１の波長の光は、分波フィルタ１０５を通過する際に、その光強度分布が変換される。
【０００９】
他方、光ファイバ１０３の傾斜端面１０３ａは、前述したように、反射戻り光を抑制するために傾斜されている。従って、傾斜端面１０３ａは、入射される光に対し、受光感度分布を有する。この場合、上記光路の光軸と直交する面内において、楕円形の形状の分布を有することとなる。そのため、上記分波フィルタ１０５を通過してきた第１の波長の光の上記光強度分布と、傾斜端面１０３ａにおける楕円形の受光感度分布が整合していない場合には、光ファイバ１０３への結合効率が十分に良くならないことになる。
【００１０】
よって、特許文献１に記載のような従来の一芯双方向光送受信モジュールでは、光ファイバへの光結合効率がなお十分でないという問題があった。
【００１１】
本発明は、上述した従来技術の現状に鑑み、光路の光軸に対して傾斜された光学フィルタと、反射戻り光を抑制するために傾斜端面が備えられた光ファイバとを有する一芯双方向光送受信モジュールであって、光ファイバへの結合効率をより一層高めることが可能とされている、一芯双方向光送受信モジュールを提供することにある。
【課題を解決するための手段】
【００１２】
本願の第１の発明は、第１の波長の光を発する発光素子と、前記発光素子から出射される前記第１の波長の光の光路に配置されており、かつ該光路の光軸に対して傾斜されている光学フィルタと、前記光路において、光学フィルタを介して、前記発光素子とは反対側に配置されており、前記第１の波長の光が入射され、かつ第２の波長の光が出射され、かつ傾斜端面を有する光ファイバとを備え、前記光学フィルタにより、前記光路とは異なる方向に第２の波長の光が導かれ、該第２の波長の光を受光する受光素子をさらに備え、前記発光素子から発せられる第１の波長の光が、前記光路の光軸と直交する方向において第１の楕円形の光強度分布を有する、一芯双方向光送受信モジュールにおいて、前記光ファイバの傾斜端面における受光感度が前記光軸に直交する第２の楕円形の形状の分布を有し、前記発光素子から発せられる第１の波長の光における前記第１の楕円形の光強度分布の前記光軸回りの回転角度と、前記光ファイバの前記傾斜端面における第２の楕円形の受光感度分布の前記光軸回りの回転角度とが一致するように、前記発光素子及び光ファイバが配置されていることを特徴とする。
【００１３】
第２の発明は、第１の波長の光を発する発光素子と、前記発光素子から出射される前記第１の波長の光の光路に配置されており、かつ該光路の光軸に対して傾斜されている光学フィルタと、前記光路において、光学フィルタを介して、前記発光素子とは反対側に配置されており、前記第１の波長の光が入射され、かつ第２の波長の光が出射され、かつ傾斜端面を有する光ファイバとを備え、前記光学フィルタにより、前記光路とは異なる方向に第２の波長の光が導かれ、該第２の波長の光を受光する受光素子をさらに備え、前記発光素子から発せられる第１の波長の光が、前記光路の光軸と直交する方向において第１の楕円形の光強度分布を有する、一芯双方向光送受信モジュールにおいて、前記光ファイバの傾斜端面における受光感度が前記光軸に直交する第２の楕円形の形状の分布を有し、前記光学フィルタを通過した後の前記第１の楕円形の光強度分布の光軸回りの回転角度と、光ファイバの前記傾斜端面における第２の楕円形の受光感度分布の光軸回りの回転角度が一致されていることを特徴とする。
【００１４】
本発明においては、上記発光素子は特に限定されないが、本発明のある特定の局面では、発光素子として、光送受信モジュールにおいて汎用されているレーザーダイオードが用いられる。
【００１５】
本発明に係る一芯双方向光送受信モジュールの他の特定の局面では、上記光学フィルタの厚みは、好ましくは０．５ｍｍ以下とされる。
【００１６】
本発明に係る一芯双方向受信モジュールのさらに他の特定の局面では、前記光学フィルタはポリイミド基板上に複数の誘電体層を積層した構造を有する。
【発明の効果】
【００１７】
第１の発明に係る一芯双方向光送受信モジュールでは、上記発光素子から発せられた第１の波長の光が光学フィルタを通過した際に、光強度分布が変換されたとしても、第１の楕円形の光強度分布の光軸回りの回転角度と、光ファイバの傾斜端面における第２の楕円形の形状の受光感度分布の光軸回りの回転角度とが一致するように、発光素子及び光ファイバが配置されているので、光ファイバへの結合効率をより一層高めることができる。
【００１８】
すなわち、従来の一芯双方向光送受信モジュールでは、光ファイバの傾斜端面の傾斜方向と、光学フィルタの傾斜方向とが逆方向とされていた場合に、光学フィルタに起因する非点収差を相殺して結合効率を高めることはできるものの、まだ十分なレベルではなかった。
【００１９】
これに対して、本発明によれば、上記のように、第１の波長の光の強度分布の光軸回りの回転角度が、光ファイバの傾斜端面における受光感度分布の光軸回りの回転角度とが一致されているので、上記光学フィルタを通過した際の光強度分布の変化に伴う光結合効率の低下をさらに抑制することができる。
【００２０】
よって、本発明によれば、第１の波長の光を、光ファイバに高い効率で導くことができる、一芯双方向光送受信モジュールを提供することができる。
【００２１】
上記光ファイバの傾斜端面の光軸回りの回転角度を、上記第１の波長の光の光学フィルタを通過した後の光強度分布の光軸回りの回転角度と一致させた場合には、それによって、第１の波長の光の光強度分布の光軸回りの回転角度に、光ファイバの傾斜端面における受光感度分布の光軸回りの回転角度を一致させることができる。すなわち、発光素子と光ファイバを配置するにあたり、光ファイバの傾斜端面の光軸回りの回転角度を調整するだけで、本発明に従って、結合効率が高められた光送受信モジュールを容易に提供することができる。
【００２２】
従って、光学フィルタの通過前の第１の波長の光強度分布の光軸回りの回転角度に、光ファイバの傾斜端面における受光感度分布の光軸回りの回転角度が必ずしも一致していなくてもよい。すなわち、第２の発明のように、光学フィルタの通過した後の第１の波長の光強度分布の光軸回りの回転角度に、光ファイバの傾斜端面における受光感度分布の光軸回りの回転角度が一致するように光ファイバの傾斜端面の光軸周りの回転角度を調整するだけで、結合効率を高めることができる。
【００２３】
本発明において、上記発光素子としては、特に限定されないが、レーザーダイオードを用いた場合には、レーザーダイオードから発せられる光は、通常光軸と直交する方向の面内において楕円形の形状の光強度分布を有するのが普通である。従って、発光素子としてレーザーダイオードを用いた場合、本発明に従って光ファイバの受光感度分布の光軸回りの回転角度をレーザーダイオードの光強度分布の光軸までの回転角度に一致させることにより、光ファイバへの結合効率を効果的に高めることができる。
【００２４】
なお、光学フィルタの厚みが薄いほど、光ファイバへの結合損失を小さくすることができ、従って結合効率を高めることができる。そして、従来、ガラス基板上に複数の誘電体薄膜を積層した構造のこの種の光学フィルタの厚みを０．５ｍｍ以下と薄くすることは困難であったが、ガラス基板に代えてポリイミドを基板として用いることにより、０．５ｍｍ以下の光学フィルタを容易に構成することができ、それによって、光ファイバへの結合効率を効果的に高めることができる。
【発明を実施するための最良の形態】
【００２５】
以下、図面を参照しつつ、本発明の具体的な実施形態を説明することにより、本発明を明らかにする。
【００２６】
図１（ａ）及び（ｂ）は、本発明の一実施形態に係る一芯双方向光送受信モジュールの概略構成図である。本実施形態の光送受信モジュール１は、発光素子２を有する。発光素子２は、特に限定されないが、本実施形態では、レーザーダイオードを用いて構成されている。なお、発光素子２は、レーザーダイオード２以外のＬＥＤなどの発光素子を用いて構成されてもよい。
【００２７】
レーザーダイオード２から、第１の波長の光３が出射される。第１の波長の光３の光路においては、凸レンズ４、光学フィルタ５及び光ファイバ６がこの順序で配置されている。凸レンズ４は、第１の波長の光３を収束し、光学フィルタ５に導くために設けられている。光学フィルタ５を通過した第１の波長の光は、光ファイバ６の傾斜端面６ａに入射される。光学フィルタ５は、第１の波長の光の上記光路の光軸に対して傾斜されている。他方、傾斜端面６ａもまた、上記光軸に対して傾斜されている。そして、光学フィルタ５の傾斜方向と、傾斜端面６ａの傾斜方向とが逆方向とされている。
【００２８】
上記光学フィルタ５は、板状の光学材料により構成されている。より具体的には、特に限定されないが、光学フィルタは、ガラス基板上に複数の誘電体層を積層した構造、あるいはガラス基板上に複数の誘電体層を積層した構造の少なくとも片面に反射防止膜を積層した構造を有する。
【００２９】
光学フィルタ５の主面が、上記のように、第１の波長の光３の光路の光軸Ｚに対し、傾斜されている。この傾斜角度は、光軸Ｚに対して約４５度とされている。
【００３０】
他方、上記第１の波長の光３の光路と離れた位置に、凸レンズ７及び受光素子８が配置されている。光ファイバ６の傾斜端面６ａから第２の波長の光が出射され、光学フィルタ５により反射されて、凸レンズ７に導かれる。第２の波長の光９は、凸レンズ７で収束され、受光素子８において受光される。受光素子８としては、フォトダイオードなどの適宜の光電変換素子を用いることができる。
【００３１】
上記のように、光送受信モジュール１では、発光素子２から出射された第１の波長の光３が、光ファイバ６に導かれ、光ファイバ６から出射される第２の波長の光９が受光素子８に導かれるように構成される。そして、第２の波長の光９を受光素子８に導くために、上記光学フィルタ５が配置されている。また、傾斜端面６ａは、第１の波長の光３が光ファイバ６の端面で反射されて、発光素子２が戻るのを防止するために設けられている。すなわち、反射戻り光を抑制するために傾斜端面６ａが設けられている。
【００３２】
加えて、本実施形態では、特許文献１に記載の光送受信モジュール１０１と同様に、上記光学フィルタ５の傾斜方向Ａと、傾斜端面６ａの傾斜方向Ｂとが逆方向とされている。すなわち、図１（ａ）に示すように、傾斜方向Ａとは、光学フィルタ５の主面に平行であって、光軸Ｚを通過し、かつ光ファイバ６に最も近い側の点を終端とするベクトルの方向であり、傾斜方向Ｂとは、傾斜端面６ａに平行であり、光軸Ｚを通り、最も光学フィルタ５側に近い端部を終点とするベクトルの方向である。傾斜方向Ａと傾斜方向Ｂとが同方向である場合には、傾斜方向Ａと、傾斜方向Ｂとは平行となる。これに対して、本実施形態では、特許文献１に記載の光送受信モジュールの場合と同様に、光学フィルタ５の傾斜方向Ａに対して、逆方向となるように、傾斜端面６ａの傾斜方向Ｂが定められている。従って、光学フィルタ５を通過する際の非点収差による光ファイバ６への結合効率の低下が抑制される。
【００３３】
加えて、本実施形態では、第１の波長の光３の光強度分布の光軸Ｚ回りの回転角度が、傾斜端面６ａにおける受光感度分布の光軸Ｚ回りの回転角度と一致されるように、発光素子２及び光ファイバ６が配置されている。これを図１（ｂ）及び（ｃ）を参照して説明する。
【００３４】
図１（ｂ）は、光学フィルタ５を通過した第１の波長の光の光強度分布を略図的に説明するための模式的斜視図である。発光素子２から光学フィルタ５に導かれた第１の波長の光は、光軸Ｚに直交する面内に位置する楕円形の形状の光強度分布を有する。特に、発光素子２としてレーザーダイオードを用いた場合、レーザーダイオードは構造上、光の出射角度が垂直方向と水平方向とで異なっているため、出射された光は楕円形の光強度分布を有する。この楕円形を第１を楕円形とする。第１の楕円形の光強度分布は、光学フィルタ５を通過した際に変動する。
【００３５】
本実施形態では、このような光学フィルタ５を通過した際の光強度分布の変動が生じたとしても、光ファイバ６への結合効率を効果的に高めることができる。
【００３６】
図１（ｂ）において、発光素子２から出射された光は、光学フィルタ５を通過し、その光強度分布は変動するが、第１の楕円形の光強度分布Ｃを有する。この第１の楕円形の光強度分布Ｃの長軸を図１（ｃ）に示すようにｃで表することとする。
【００３７】
他方、光ファイバ６の傾斜端面６ａは、光軸Ｚに対して、上記傾斜方向Ｂとなるように傾斜されている。従って、光軸Ｚに沿って導かれてきた第１の波長の光が傾斜端面６ａから光ファイバ６に入射される際、その受光感度は、光軸Ｚの回りに均一ではなく、やはり、図１（ｃ）に示す第２の楕円形Ｄで示すように、楕円形の形状を有することとなる。この第２の楕円形の受光感度分布Ｄの長軸方向をｄとする。
【００３８】
本実施形態では、この長軸ｃと長軸ｄとが一致するように、言い換えれば、上記光強度分布Ｃの光軸Ｚ回りの回転角度θｃと、受光感度分布Ｄの光軸Ｚ回りの回転角度θｄとが一致するように、発光素子２及び光ファイバ６が配置されている。上記光強度分布Ｃの光軸Ｚ回りの回転角度θｃとは、図１（ｃ）に示すように、Ｚ軸回りの任意に設定される基準角度位置Ｅに対して、長軸ｃがなす角度である。また、上記受光感度分布Ｄの光軸Ｚ回りの回転角度θｄとは、長軸ｄが、上記基準位置Ｄとの間でなす角度である。
【００３９】
上記のように、回転角度θｃ及びθｄが一致されているので、光学フィルタ５を通過してきた第１の波長の光が、光学フィルタ５を通過することにより、その光強度分布が変化されたとしても、長軸ｃと長軸ｄとが一致されているので、第１の波長の光が効率良く傾斜端面６ａから光ファイバ６に入射されることとなる。
【００４０】
なお、基準位置Ｅは、Ｚ軸回りのいずれの位置に定めてもよい。
【００４１】
よって、本発明によれば、光学フィルタ５を通過した際の第１の波長の光の光強度分布の変換による光ファイバ６への光結合効率の低下を抑制することができ、光結合効率が一層高められた光送受信モジュールを提供することができる。
【００４２】
従来、特許文献１に記載のように、光学フィルタ５の傾斜方向と、光ファイバ６の傾斜端面の傾斜方向については注意が払われていたが、発光素子２から出射される第１の波長の光の光強度分布と傾斜端面６ａにおける受光感度分布との関係については注意は払われていなかった。これに対して、本実施形態では、上記のように、第１の波長の光３の光強度分布の光軸Ｚ軸回りの回転角度θｃと、傾斜端面６ａにおける光軸Ｚ回りの受光感度分布の回転角度θｄとを制御することにより、従来では実現しなかった高い光ファイバ６への光結合効率を実現することができる。これを、図２及び図３を参照して具体的な実験例に基づき説明する。
【００４３】
図２は、上記発光素子２から出射された第１の波長の光の光強度分布を示す第１の楕円形Ｃの長軸ｃの光軸回りの回転角度θｃが４５度とされている場合に、光ファイバ６の傾斜端面６ａの受光感度分布の回転角度として、光ファイバ６の回転角度を変化させた場合の結合損失の変化を示す。なお、光ファイバ６の回転角度とは、傾斜端面６ａの光軸回りの回転角度をいうものとし、該光ファイバの回転角度と、光ファイバ６の傾斜端面６ａの受光感度分布の回転角度とは１対１の対応を示す。
【００４４】
なお、図３（ａ）は、上記光ファイバの回転角度が０度の場合の構成、図３（ｂ）は、１８０度の場合の構成を模式的に示す図である。
【００４５】
図３（ａ）に示す光ファイバの回転角度が０度の場合とは、特許文献１に記載のように、光学フィルタ５の傾斜角度と、光ファイバ６の傾斜端面６ａとの傾斜方向が逆方向とされている場合とする。なお、図３（ｂ）に示すように、傾斜端面６ａの傾斜方向と光学フィルタ５の傾斜方向Ａとが略同一方向とされている場合に、光ファイバ回転角度が１８０度となる。
【００４６】
図２から明らかなように、光ファイバの回転角度が０度の場合、光結合の損失は、−４．７５ｄＢ程度であるのに対し、−４５度の場合に、−４．１ｄＢ程度と、より小さくなることがわかる。すなわち、単に、光学フィルタ５の傾斜方向Ａと、傾斜端面６ａの傾斜方向Ｂとを逆方向とした場合よりも、さらにファイバの回転角度をずらした場合の方が結合損失が小さくなっていることがわかる。これは、レーザーダイオードから出射された第１の波長の光３の光強度分布の回転角度θｃが４５度であり、かつ光ファイバの回転角度が−４５度であり、すなわち回転角度θｄ＝４５度である場合、θｃとθｄとが一致し、それによって結合損失がより一層高められていることによる。
【００４７】
従って、上記実施形態によれば、光ファイバ６への光結合効率を効果的に高め得ることがわかる。
【００４８】
上記のように、回転角度θｄと、光ファイバ６の傾斜端面６ａの回転角度とは１対１の対応を有するため、光ファイバの受光感度分布の回転角度を設定する場合、光ファイバの傾斜端面６ａの光軸Ｚ回りの回転角度を調整すればよい。
【００４９】
また、上記光学フィルタ５の厚みは、薄いほうが好ましい。図４は、上記実験例に用いた光送受信モジュールにおいて、光学フィルタ５の厚みのみを種々変化させた場合の結合損失の変化及び光軸ずれの変化を示す図である。
【００５０】
図４から明らかなように、光学フィルタの厚みが０．５ｍｍを超えると、結合損失が大きくなることがわかる。
【００５１】
これに対して、光学フィルタの厚みが０．５ｍｍ以下の場合には、結合損失を比較的小さくし得ることがわかる。従って、結合損失を低減するには、また光軸ずれを小さくするには、光学フィルタの厚みを０．５ｍｍ以下とすることが望ましいことがわかる。これは、図５（ａ）に、光学フィルタの厚みが０．０２ｍｍの場合を、図５（ｂ）に光学フィルタ５の厚みが０．５ｍｍの場合を模式的に示すように、光学フィルタの厚みが薄い場合、光学フィルタによる非点収差の影響が小さくなることによると考えられる。
【図面の簡単な説明】
【００５２】
【図１】（ａ）は、本発明の一実施形態に係る一芯双方向光送受信モジュールの概略構成図、（ｂ）は、第１の波長の光の光強度分布を説明するための模式的斜視図、（ｃ）は、第１の波長の光の光強度分布の回転角度θｃと、光ファイバの光端面の受光感度分布の光軸回りの回転角度θｄとを説明するための図。
【図２】発光素子から出射される光の光強度分布の回転角度を４５度とし、光学フィルタの傾斜角度を４５度とした場合に、光ファイバの傾斜端面の受光感度分布の光軸Ｚ軸回りの回転角度に対応する傾斜端面の光軸Ｚ軸回りの回転角度を変化させた場合の光ファイバ６への結合損失の変化を示す図。
【図３】（ａ）及び（ｂ）は、図２の横軸の光ファイバの回転角度を説明するための模式図であり、（ａ）が、光ファイバの回転角度が０度の場合を示し、（ｂ）が、光ファイバの回転角度か１８０度の場合を模式的に示す図。
【図４】光学フィルタの厚みを種々異ならせた場合の光ファイバへの結合損失及び光軸ずれの変化を示す図。
【図５】（ａ）及び（ｂ）は、光学フィルタの厚みが０．２ｍｍの場合及び０．５ｍｍの場合の光学フィルタによる非点収差の影響の差を説明するための模式図。
【図６】従来の光送受信モジュールの一例を示す概略構成図。
【符号の説明】
【００５３】
１…光送受信モジュール
２…発光素子
３…第１の波長の光
４…凸レンズ
５…光学フィルタ
６…光ファイバ
６ａ…傾斜端面
７…凸レンズ
８…受光素子
Ｃ…第１の楕円形の光強度分布
ｃ…長軸
Ｄ…第２の楕円形の受光感度分布
ｄ…長軸
Ｚ…光軸
θｃ，θｄ…回転角度
【図１】
2007017701.tif 000003
【図２】
2007017701.tif 000004
【図３】
2007017701.tif 000005
【図４】
2007017701.tif 000006
【図５】
2007017701.tif 000007
【図６】
2007017701.tif 000008